(57)【要約】      （修正有）【課題】  マニュアル式のエアコン仕様と、オート式のエアコン仕様とで、どちらの仕様においても、有効なスペース使用を可能とする。【解決手段】  空調の操作パネル２の取付けスペースを、第１の取付けスペース部３と第２の取付けスペース部４とから構成し、取付けスペースにマニュアル式のエアコンの操作パネルを取付ける場合、マニュアル式のエアコンの操作パネル２を、本体パネル７と一部の操作系を設けた別体パネル８とに分けて構成し、第１の取付けスペース部３にマニュアル式のエアコンの本体パネル７を取付け、第２の取付けスペース部４に別体パネル８を取付けるレイアウトとし、取付けスペースにオート式のエアコンの操作パネルを取付ける場合、第１の取付けスペース部３にオート式のエアコンの操作パネル７´を取付け、第２の取付けスペース部４に小物の収納ユニット１０を取付けるレイアウトとしている。【選択図】    図２
2007030533.tif 000002
【特許請求の範囲】
【請求項１】
自動車の車室内に配置される空調の操作パネルの取付け構造において、前記操作パネルの取付けスペースを、第１の取付けスペース部と第２の取付けスペース部とから構成し、前記取付けスペースにマニュアル式のエアコンの操作パネルを取付ける場合、前記マニュアル式のエアコンの操作パネルを、本体パネルと一部の操作系を設けた別体パネルとに分けて構成し、前記第１の取付けスペース部に前記マニュアル式のエアコンの本体パネルを取付け、前記第２の取付けスペース部に前記別体パネルを取付けるレイアウトとし、前記取付けスペースにオート式のエアコンの操作パネルを取付ける場合、前記第１の取付けスペース部に前記オート式のエアコンの操作パネルを取付け、前記第２の取付けスペース部に小物の収納ユニットを取付けるレイアウトとしたことを特徴とする空調の操作パネルの取付け構造。
【請求項２】
前記第１の取付けスペース部と前記第２の取付けスペース部とは、縦列方向に配置されていることを特徴とする請求項１に記載の空調の操作パネルの取付け構造。
【請求項３】
前記別体パネルに設けた操作系が、ダイヤル式の操作系であることを特徴とする請求項１または２のいずれかに記載の空調の操作パネルの取付け構造。
【請求項４】
前記第１の取付けスペース部と前記第２の取付けスペース部とは連結して設けられ、前記本体パネルと前記別体パネルとの間、または前記本体パネルと前記収納ユニットとの間には互いに係合する機構部が設けられていることを特徴とする請求項１〜３のいずれかに記載の空調の操作パネルの取付け構造。
【請求項５】
前記収納ユニットは、携帯電話を差込むことが可能な開口部を備えていることを特徴とする請求項１または２のいずれかに記載の空調の操作パネルの取付け構造。
【請求項６】
前記収納ユニットの周辺に隣接して、アクセサリーソケットが設けられていることを特徴とする請求項５に記載の空調の操作パネルの取付け構造。
【発明の詳細な説明】
【技術分野】
【０００１】
本発明は、空調の操作パネルの取付け構造に係り、詳しくは、自動車の車室内に配置される空調の操作パネルにおいて、仕様による設置スペースの違いに合わせて、スペースを有効に利用するための取付け構造に関する。
【背景技術】
【０００２】
自動車の車室内のインストルメントパネルには、空調の操作パネルが取付けられている。このような操作パネルには、風の吹出し位置を調節する操作ユニット、風の吹出し風量を調節する操作ユニット、風の吹出し温度を調節する操作ユニットなどが設けられている。そのため、従来技術の中には、これら操作ユニットを機械的に分離しているものがあり、これによって操作パネルのレイアウトや仕様変更の自由度を向上させている（例えば、特許文献１参照）。
【０００３】
ところで、最近では、マニュアル式のエアコンに対して、オート式のエアコンの普及率が高くなってきている。そのため、スイッチなどの操作系についても改良が進み、デジタル化に伴ってコンパクトになる傾向にある。一方、マニュアル式の操作系は、従来からのものを流用することが多いため、両者の仕様間で必要とするスペースの差に開きが生じている。
【０００４】
【特許文献１】特開２００５−９６５７９号公報
【発明の開示】
【発明が解決しようとする課題】
【０００５】
しかしながら、上述した従来の操作ユニットは、全てのユニットが独立して構成されているので、構成部品が個々に必要となり、部品点数が増えるとともに、構造も複雑になってしまうおそれがあった。
また、仕様によっては、不要となる操作ユニットが存在することもある。このような場合は、操作ユニットを操作不能にしたダミーノブを装着する必要があるので、不要なスペースと部品を要し、コスト高を招いてしまうという問題があった。
さらに、従来の技術では、インストルメントパネルへの取付け構造を変えなければ、マニュアル式のエアコンの操作パネルとオート式のエアコンの操作パネルとで仕様の変更ができない上、スペースを無駄にすることがあった。
【０００６】
本発明はこのような実状に鑑みてなされたものであって、その目的は、操作パネルの取付けスペースを２つのスペース部に分け、マニュアル式のエアコン仕様の場合と、オート式のエアコン仕様の場合とで、取付けスペースに配置する構成部品を変えることにより、どちらの仕様においても、スペースを無駄にすることなく有効な使用を可能とする空調の操作パネルの取付け構造を提供することにある。
【課題を解決するための手段】
【０００７】
上記従来技術の有する課題を解決するために、本発明は、自動車の車室内に配置される空調の操作パネルの取付け構造において、前記操作パネルの取付けスペースを、第１の取付けスペース部と第２の取付けスペース部とから構成し、前記取付けスペースにマニュアル式のエアコンの操作パネルを取付ける場合、前記マニュアル式のエアコンの操作パネルを、本体パネルと一部の操作系を設けた別体パネルとに分けて構成し、前記第１の取付けスペース部に前記マニュアル式のエアコンの本体パネルを取付け、前記第２の取付けスペース部に前記別体パネルを取付けるレイアウトとし、前記取付けスペースにオート式のエアコンの操作パネルを取付ける場合、前記第１の取付けスペース部に前記オート式のエアコンの操作パネルを取付け、前記第２の取付けスペース部に小物の収納ユニットを取付けるレイアウトとしている。
【０００８】
また、本発明において、前記第１の取付けスペース部と前記第２の取付けスペース部とは、縦列方向に配置されている。
【０００９】
さらに、本発明において、前記別体パネルに設けた操作系が、ダイヤル式の操作系である。
【００１０】
そして、本発明において、前記第１の取付けスペース部と前記第２の取付けスペース部とは連結して設けられ、前記本体パネルと前記別体パネルとの間、または前記本体パネルと前記収納ユニットとの間には互いに係合する機構部が設けられている。
【００１１】
また、本発明において、前記収納ユニットは、携帯電話を差込むことが可能な開口部を備えている。
さらに、本発明において、前記収納ユニットの周辺に隣接して、アクセサリーソケットが設けられている。
【発明の効果】
【００１２】
上述の如く、本発明に係る空調の操作パネルの取付け構造は、自動車の車室内に配置される操作パネルの取付けスペースを、第１の取付けスペース部と第２の取付けスペース部とから構成し、前記取付けスペースにマニュアル式のエアコンの操作パネルを取付ける場合、前記マニュアル式のエアコンの操作パネルを、本体パネルと一部の操作系を設けた別体パネルとに分けて構成し、前記第１の取付けスペース部に前記マニュアル式のエアコンの本体パネルを取付け、前記第２の取付けスペース部に前記別体パネルを取付けるレイアウトとし、前記取付けスペースにオート式のエアコンの操作パネルを取付ける場合、前記第１の取付けスペース部に前記オート式のエアコンの操作パネルを取付け、前記第２の取付けスペース部に小物の収納ユニットを取付けるレイアウトとしているので、オート式のエアコンの操作パネルのコンパクト化によって余ったスペースを小物入れとして有効に利用することができるとともに、マニュアル式とオート式とで取付け構造を変えることなく仕様の変更を行うことができる。
【００１３】
また、本発明によれば、前記第１の取付けスペース部と前記第２の取付けスペース部とが縦列方向に配置されているので、並列に配置した場合と比べて、マニュアル式のエアコンの操作系の位置を運転席から近い位置にまとめて配置することができ、操作性の向上を図ることができる。
【００１４】
そして、本発明によれば、前記別体パネルに設けた操作系がダイヤル式の操作系であるので、操作系の中でもボタンやレバーに比べて大きなスペースを要するダイヤル式の操作系により、オート式のエアコンの操作パネルを取付ける場合において、小物の収納ユニットの容量を確保することができる。
【００１５】
また、本発明によれば、前記第１の取付けスペース部と前記第２の取付けスペース部とは連結して設けられ、前記本体パネルと前記別体パネルとの間、または前記本体パネルと前記収納ユニットとの間には互いに係合する機構部が設けられているので、両部材の位置合わせが行いやすくなり、見切りを美しく仕上げることができる。しかも、互いを係合させる構造とすることにより、それぞれの取付け部に対する係合機構を設ける必要がないので、取付け部の構造を簡易にし、部品点数を削減することができる。
【００１６】
さらに、本発明によれば、前記収納ユニットは、携帯電話を差込むことが可能な開口部を備えているので、乗員の見やすい場所に携帯電話を保持することが可能となる。
【００１７】
また、本発明によれば、前記収納ユニットの周辺に隣接して、アクセサリーソケットが設けられているので、収納ユニットに保持した携帯電話の充電を見やすく操作しやすい状態で、確認しながら行うことができる。
【発明を実施するための最良の形態】
【００１８】
以下、本発明を図示の実施の形態に基づいて詳細に説明する。
図１は本発明の実施の形態に係る空調の操作パネルの取付け構造が適用されたインストルメントパネルの斜視図、図２は図1の操作パネルを取外した状態の取付けスペースの斜視図、図３はマニュアル式のエアコンの操作パネルを取付けた状態を示す斜視図、図４はマニュアル式のエアコンの操作パネル単品の正面図および側面図、図５はオート式のエアコンの操作パネルを取付けた状態を示す斜視図、図６は図５の操作パネルにおける収納ユニットを示す正面図および断面図である。
【００１９】
本発明の実施の形態のインストルメントパネル１は、図１に示す如く、車室内の車体前部および側部に取付けられる合成樹脂製の一体成形品であり、図示しない運転席および助手席の前方位置に配設されている。このようなインストルメントパネル１は、車室内の車両幅方向のほぼ全幅にわたる長さに形成されており、車両幅方向の中央部上には、運転席に着座した乗員が操作しやすいように、空調の操作パネル２が集約して配置されている。
空調の操作パネル２は、空調の仕様により、少なくとも２種類の操作パネルの組み合わせが設定されている。例えば、後述するように、温度を乗員が手動で操作するマニュアル式のエアコン（空調機器）と、車室内の温度をセンサーにより感知し、乗員が設定した温度に自動で調整するオート式のエアコンを設定している。
【００２０】
そのため、インストルメントパネル１の車両幅方向の中央部には、図２に示す如く、操作パネル２の取付けスペースが設けられている。この取付けスペースは、メインの操作パネルを取付ける第１の取付けスペース部３と、該第１の取付けスペース部３よりも小さい面積の第２の取付けスペース部４とから構成されており、第１の取付けスペース部３と第２の取付けスペース部４とは連結して設けられている。ただし、これら第１および第２の取付けスペース部３，４は、車幅方向へ延びるランナー５で互いに仕切られている。このランナー５としては、インストルメントパネル１の本体と一体で成形したもの、または別部品化したものが用いられている。
また、第１の取付けスペース部３と第２の取付けスペース部４とは、上下方向へ沿って並ぶように縦列方向に配置されており、上方位置には第１の取付けスペース部３が設けられ、下方位置には第２の取付けスペース部４が設けられている。これは、操作系を横一列に並べるのに比べて、上下に分けて操作系を配列することにより、運転席から遠くなる操作系の数を減らすことが可能となるからである。
なお、第２の取付けスペース部４と隣接する箇所には、図１および図３に示すシフトノブ１６を取付けるための第３の取付けスペース部６が連続して形成されている。
【００２１】
一般的に、マニュアル式のエアコンの操作パネルでは、空調の種々の設定を変更するための操作系（ノブ、ダイヤル、レバーなど）として、主に、エアコン作動スイッチ、吹出し口の切替えを可能とする吹出し口切替えダイヤル、送風の温度を調節するための温度調節用ダイヤル、風量を変更するための送風量調節ダイヤルおよび内外気切替えレバーなどが設けられている。
本発明の実施の形態の取付け構造では、マニュアル式のエアコン仕様の場合、図３および図４に示す如く、操作パネル２が本体パネル７と別体パネル８の２つに分けて構成されており、本体パネル７には吹出し口切替えダイヤル７ａ、温度調節用ダイヤル７ｂおよびエアコン作動スイッチ７ｃが横並びに配置され、別体パネル８には送風量調節ダイヤル８ａおよび内外気切替えレバー８ｂが縦並びに配置されている。
【００２２】
なお、本体パネル７と別体パネル８に配置する操作系は、上記のものに限定されず、どのような組み合わせでも可能であるが、スイッチ式やレバー式よりもスペースを要するダイヤル式の操作系を本体パネル７と別体パネル８に分けて配置すると、本体パネル７のスペース的な負担が減るため、操作パネル全体をコンパクトに配置することが可能となる。また、個々のスペース的制約も軽減されるため、操作するのに十分な大きさの操作系を配置することが可能となる。
また、操作パネル２を構成する本体パネル７と別体パネル８の空いたスペースには、後席用の空調作動スイッチや空調以外のスイッチ（ハザード、デフロスタなど）が配置されていても良い。
【００２３】
以上のような構成の本体パネル７および別体パネル８は、図２で示す取付けスペースに配置されるようになっている。すなわち、第１の取付けスペース部３には本体パネル７が取付けられ、第２の取付けスペース部４には別体パネル８が取付けられている。
本体パネル７および別体パネル８のそれぞれは、第１の取付けスペース部３および第２の取付けスペース部４の開口部の縁部やランナー５に係止爪やクリップ等、ビスなどで固定されており、図４（Ｂ）に示す如く、本体パネル７と別体パネル８の当接部には、互いに係合する嵌合部（機構部）９が設けられている。この嵌合部９は、本体パネル７と別体パネル８との合わせ面の見切りを精度良く仕上げるために設けられたものである。また、嵌合部９を設けることにより、本体パネル７または別体パネル８のどちらかにランナー５への取付け部を設ければ、他方は嵌合部９により固定されることになる。したがって、本発明の実施の形態における本体パネル７および別体パネル８には、インストルメントパネル１の取付けスペースに対する固定機構をそれぞれ設ける必要がなく、構造を簡易にすることが可能となる。
【００２４】
一方、オート式のエアコンの操作パネルは、グレードの高い自動車の仕様に装備され、今後の主流になる傾向にあることから、マニュアル式のエアコンの操作パネルに比べて、改良によりコンパクト化が進んでいる場合が多い。また、表示やスイッチもデジタル式にできているなど、よりコンパクト化可能な要因を持っている。
したがって、本発明の実施の形態の操作パネル２では、図５に示すように、本体パネル７´のみに空調の条件変更に必要な操作系を全て配置することが可能となっている。すなわち、図５の例では、温度調節用ダイヤル７´ｂ以外は全てスイッチタイプの操作系としており、調節内容が本体パネル７´のディスプレイ７´ｄに表示されるようになっている。
なお、温度調節用ダイヤル７´ｂをスイッチタイプとすることについても、特に問題はない。また、マニュアル式のエアコンの操作パネルと同様、空いたスペースには、後席用の空調作動スイッチや空調以外のスイッチ（ハザード、デフロスタなど）が配置されていても良い。
【００２５】
このようにオート式のエアコンの場合、操作パネルの取付けに必要な取付けスペースとしては、図２に示す第１の取付けスペース部３のみで良くなる。そこで、本発明の実施の形態の取付け構造では、不要となった第２の取付けスペース部４を利用して、小物の収納ユニット１０が取付けられている。
この収納ユニット１０は、図６に示す如く、マニュアル式のエアコン用の別体パネル８の意匠面と同一形状の表面部１０ａを有し、該表面部１０ａの上部寄りには、正面視で四角形状の開口部１０ｃが設けられている。そして、この開口部１０ｃには、ボックス１０ｂが開閉可能に取付けられており、ボックス１０ｂを開けた状態で、少なくとも携帯電話を差込むことが可能な大きさの収納部を備えている。
収納ユニット１０の第２の取付けスペース部４への取付け構造の詳細は、前述の別体パネル８と同じであり、第２の取付けスペース部４の開口部の縁部やランナー５に係止爪やクリップ等、ビスなどで固定され、図６（Ｂ）に示す如く、収納ユニット１０との当接部には、互いに係合する嵌合部９が設けられている。
【００２６】
また、操作パネル２の周辺のインストルメントパネル１には、図５に示す如く、収納ユニット１０に隣接して、携帯電話の充電に利用可能なアクセサリーソケット１１が設けられている。このようなレイアウトにすることにより、運転席などに着座した乗員が見やすく、操作しやすい位置で携帯電話の保持や、アクセサリーソケット１１を利用しての充電が可能となる。
【００２７】
以上のように構成されていることから、本発明の実施の形態に係る空調の操作パネルの取付け構造によれば、マニュアル式のエアコン仕様の場合と、オート式のエアコン仕様の場合の複数の仕様設定がある場合でも空調の操作パネル２を取付けることが可能となり、どちらの仕様においても、スペースを無駄にすることなく、有効に使用することができる。
【００２８】
以上、本発明の実施の形態につき述べたが、本発明は既述の実施の形態に限定されるものではなく、本発明の技術的思想に基づいて各種の変形および変更が可能である。
【図面の簡単な説明】
【００２９】
【図１】本発明の実施の形態に係る空調の操作パネルの取付け構造が適用されたインストルメントパネルを示す斜視図である。
【図２】図1の操作パネルを取外した状態の取付けスペースを示す斜視図である。
【図３】本発明の実施の形態に係る空調の操作パネルの取付け構造において、マニュアル式のエアコンの操作パネルを取付けた状態を示す斜視図である。
【図４】図３におけるマニュアル式のエアコンの操作パネル単品を示すものであって、（Ａ）はその正面図、（Ｂ）はその側面図である。
【図５】本発明の実施の形態に係る空調の操作パネルの取付け構造において、オート式のエアコンの操作パネルを取付けた状態を示す斜視図である。
【図６】図５の操作パネルにおける収納ユニットを示すものであって、（Ａ）はその正面図、（Ｂ）はその断面図である。
【符号の説明】
【００３０】
１  インストルメントパネル
２  操作パネル
３  第１の取付けスペース部
４  第２の取付けスペース部
５  ランナー
６  第３の取付けスペース部
７  本体パネル
７´  本体パネル
８  別体パネル
８ａ  送風量調節ダイヤル
９  嵌合部
１０  収納ユニット
１１  アクセサリーソケット
【図１】
2007030533.tif 000003
【図２】
2007030533.tif 000004
【図３】
2007030533.tif 000005
【図４】
2007030533.tif 000006
【図５】
2007030533.tif 000007
【図６】
2007030533.tif 000008